(57)【要約】【課題】レンズが固定されたレンズ枠をレンズの光軸に沿って移動させるＶＣＭ機構を有する鏡筒ユニットにおいて画質劣化の要因となるゴーストやフレアの発生を抑止し高品質な画像を結像させ得る鏡筒ユニットを提供する。【解決手段】レンズ２２が固定されたレンズ枠２２Ｆをレンズの光軸Ｏに沿って移動させるＶＣＭ機構１６を有する鏡筒ユニット１０であって、ＶＣＭ機構の一部を構成しレンズ枠に接着固定されたコイル４１と、ＶＣＭ機構の一部を構成しコイルの巻回された開口部４１ｍを貫通するヨーク４３と、レンズ枠に固定され被写体光を通過させる開口部４５ｍを有する固定絞り部材４５とを具備し、固定絞り部材はコイルとレンズ枠との間の接着層４６の前面領域を覆うことにより接着層を介して入射する不要光Ｂ３を遮蔽する遮光部４５ａを有し、開口部から入射する不要光Ｂ２と接着層を介して入射する不要光Ｂ３とを同時に遮蔽する。【選択図】図３
2019152756.tif 000002
【特許請求の範囲】
【請求項１】
レンズが固定されたレンズ枠を上記レンズの光軸に沿って移動させるＶＣＭ機構を有する鏡筒ユニットであって、
上記ＶＣＭ機構の一部を構成し、上記レンズ枠に接着固定されたコイルと、
上記ＶＣＭ機構の一部を構成し、上記コイルの巻回された開口部を貫通するヨークと、
上記レンズ枠に固定され、被写体からの反射光を通過させる開口部を有する固定絞り部材と、
を具備し、
上記固定絞り部材は、上記コイルと上記レンズ枠との間の接着層の前面領域を覆うことにより当該接着層を介して入射する不要光を遮蔽する遮光部を有し、上記開口部から入射する不要光と上記接着層を介して入射する不要光とを同時に遮蔽することを特徴とする鏡筒ユニット。
【請求項２】
上記コイルと上記レンズ枠との間の接着層は、光軸に沿う方向における一端部に、上記固定絞り部材と上記コイル及び上記レンズ枠とを同時に接着するための接着だまり部が形成されていることを特徴とする請求項１記載の鏡筒ユニット。
【請求項３】
上記固定絞り部材が覆う領域は、上記接着層の前面、及び上記コイルの前面のうち上記コイルを上記レンズの光軸方向に投影した際の当該コイル全体の投影面積の少なくとも半分以上の領域であることを特徴とする請求項１記載の鏡筒ユニット。
【請求項４】
レンズが固定された第１のレンズ枠を上記レンズの光軸に沿って移動させる第１のＶＣＭ機構と、レンズが固定された第２のレンズ枠を上記レンズの光軸に沿って移動させる第２のＶＣＭ機構とを有すると鏡筒ユニットであって、
上記第１のＶＣＭ機構の一部を構成し、上記第１のレンズ枠が保持するレンズの光軸に対して互いに対向する位置に各々が接着固定された一対の第１のコイルと、
上記第２のＶＣＭ機構の一部を構成し、上記第２のレンズ枠が保持するレンズの光軸に対して互いに対向する位置に各々が接着固定された一対の第２のコイルと、
上記第１のＶＣＭ機構の一部を構成し、上記一対の第１のコイルをそれぞれ貫通する第１のヨークと、
上記第２のＶＣＭ機構の一部を構成し、上記一対の第２のコイルをそれぞれ貫通する第２のヨークと、
被写体からの反射光を透過させる開口部を有し、上記第１及び第２のレンズ枠のそれぞれに固定される固定絞り部材と、
を具備し、
上記固定絞り部材は、
上記一対の第１及び第２のコイルと上記第１及び第２のレンズ枠とのそれぞれの接着層の前面を覆うことにより当該接着層を介して上記レンズに入射する不要光を遮蔽する遮光部を有し、上記開口部から入射する不要光と上記接着層を介して入射する不要光とを同時に遮蔽することを特徴とする鏡筒ユニット。
【発明の詳細な説明】
【技術分野】
【０００１】
この発明は、レンズが固定されたレンズ枠をレンズの光軸に沿って移動させるＶＣＭ機構を有する鏡筒ユニットに関するものである。
【背景技術】
【０００２】
従来、撮像装置に適用される鏡筒ユニットにおいては、オートフォーカス動作等のために、撮像光学系を構成する一部のレンズ（光学素子）が固定保持されたレンズ保持枠を、撮像光学系の光軸に沿う方向に移動させるための駆動機構として、ＶＣＭ（Voice Coil Motor；ボイスコイルモータ）を用いた駆動機構（以下、ＶＣＭ機構と略記する）を採用するものが、一般に実用化されている。
【０００３】
この種の従来の鏡筒ユニットにおいては、撮像光学系を構成する複数の光学素子（レンズ）を通過する被写体からの反射光の光路を阻害しない位置であって、主にレンズ保持枠の外周側の領域に、ＶＣＭ機構等を構成するための各種の構成部材を配設する構成とされている。この場合において、レンズの外周縁部に配設される各種の構成部材同士の間には隙間が形成されることがある。
【０００４】
例えば、ＶＣＭ機構を構成するコイルがレンズ保持枠の外周側に接着固定されている構成の場合には、当該コイルの外面とレンズ保持枠の外周面との間に接着層が介在することになる。
【０００５】
したがって、このことから、当該鏡筒ユニットの前面から入射した被写体からの反射光が、当該接着層を介して内部後方へと入射してしまう可能性がある。このようにして、構成部材同士の隙間などから入射した光が、再度、撮像光学系へと入射し、さらにその後に、撮像素子の撮像面まで到達すると、いわゆるゴーストやフレア等が発生し、よって撮像結果に悪影響を及ぼすことがある。
【０００６】
なお、撮像結果に悪影響を及ぼすことにより撮像画像を劣化させる要因となると共に、像形成には直接的に不要となる光を不要光という。
【０００７】
そこで、ＶＣＭ機構を有する従来の鏡筒ユニットにおいては、例えば特開２０１６−９９５２３号公報等によって、鏡筒ユニットに入射した被写体からの反射光のうち不要光を遮蔽するための工夫について、種々の提案がなされている。
【０００８】
上記特開２０１６−９９５２３号公報等によって開示されている鏡筒ユニットにおいては、光軸方向に並べられ光軸方向にそれぞれが別個に移動可能に設けられた二つの可動レンズ群と、これを収納する固定枠とを有して構成している。この場合において、一方の可動レンズ群を保持するレンズ保持枠の可動領域と、他方の可動レンズ群を保持するレンズ保持枠の可動領域との間に中間部材を個受けて構成している。そして、この中間部材は、二つの可動レンズ群の干渉を防止するために両者間を仕切っていると共に、固定枠に入射して、前方の可動領域を通って後方の可動領域に至る光のうちの不要光を遮蔽するように構成されている。
【先行技術文献】
【特許文献】
【０００９】
【特許文献１】特開２０１６−９９５２３号公報
【発明の概要】
【発明が解決しようとする課題】
【００１０】
ところが、上記特開２０１６−９９５２３号公報等によって開示されている従来の鏡筒ユニットにおいては、中間部材を新設することによって、コイル等の構成部材間の接着層等を介して入射した不要光のうち、当該中間部材が配置されている部分のみでしか不要光の遮蔽は実現できていない。
【００１１】
本発明は、上述した点に鑑みてなされたものであって、その目的とするところは、レンズが固定されたレンズ枠をレンズの光軸に沿って移動させるＶＣＭ機構を有する鏡筒ユニットにおいて、画質劣化の要因となるゴーストやフレアの発生を抑止し、より高品質な画像を結像させることができる鏡筒ユニットを提供することである。
【課題を解決するための手段】
【００１２】
上記目的を達成するために、本発明の一態様の鏡筒ユニットは、レンズが固定されたレンズ枠を上記レンズの光軸に沿って移動させるＶＣＭ機構を有する鏡筒ユニットであって、上記ＶＣＭ機構の一部を構成し上記レンズ枠に接着固定されたコイルと、上記ＶＣＭ機構の一部を構成し上記コイルの巻回された開口部を貫通するヨークと、上記レンズ枠に固定され被写体からの反射光を通過させる開口部を有する固定絞り部材とを具備し、上記固定絞り部材は、上記コイルと上記レンズ枠との間の接着層の前面領域を覆うことにより当該接着層を介して入射する不要光を遮蔽する遮光部を有し、上記開口部から入射する不要光と上記接着層を介して入射する不要光とを同時に遮蔽する。
【００１３】
本発明の別の一態様の鏡筒ユニットは、レンズが固定された第１のレンズ枠を上記レンズの光軸に沿って移動させる第１のＶＣＭ機構とレンズが固定された第２のレンズ枠を上記レンズの光軸に沿って移動させる第２のＶＣＭ機構とを有すると鏡筒ユニットであって、上記第１のＶＣＭ機構の一部を構成し上記第１のレンズ枠が保持するレンズの光軸に対して互いに対向する位置に各々が接着固定された一対の第１のコイルと、上記第２のＶＣＭ機構の一部を構成し上記第２のレンズ枠が保持するレンズの光軸に対して互いに対向する位置に各々が接着固定された一対の第２のコイルと、上記第１のＶＣＭ機構の一部を構成し上記一対の第１のコイルをそれぞれ貫通する第１のヨークと、上記第２のＶＣＭ機構の一部を構成し上記一対の第２のコイルをそれぞれ貫通する第２のヨークと、被写体からの反射光を透過させる開口部を有し上記第１及び第２のレンズ枠のそれぞれに固定される固定絞り部材とを具備し、上記固定絞り部材は、上記一対の第１及び第２のコイルと上記第１及び第２のレンズ枠とのそれぞれの接着層の前面を覆うことにより当該接着層を介して上記レンズに入射する不要光を遮蔽する遮光部を有し、上記開口部から入射する不要光と上記接着層を介して入射する不要光とを同時に遮蔽する。
【発明の効果】
【００１４】
本発明によれば、レンズが固定されたレンズ枠をレンズの光軸に沿って移動させるＶＣＭ機構を有する鏡筒ユニットにおいて、画質劣化の要因となるゴーストやフレアの発生を抑止し、より高品質な画像を結像させることができる鏡筒ユニットを提供することができる。
【図面の簡単な説明】
【００１５】
【図１】本発明の第１の実施形態の鏡筒ユニットの内部構成の概略を示す断面図
【図２】図１の符号［２］で示す領域の要部拡大断面図
【図３】図１の鏡筒ユニットに組み込まれた状態の第２レンズ保持枠の前面を主に示す平面図
【図４】図１の鏡筒ユニットにおける第２レンズ群保持枠を取り出して示す斜視図
【図５】図４に示す状態の第２レンズ群保持枠を同図４の矢印符号［５］方向から見た平面図
【図６】図５に示す状態の第２レンズ群保持枠から固定絞り部材を取り外した状態（ＶＣＭ機構のコイルは取り付けられている状態）を示す平面図
【図７】図４に示す状態の第２レンズ保持枠の一部（コイル及び固定絞り部材が取り付けられている近傍部分）を拡大して示し、かつ一部を断面で示す要部拡大図
【図８】図４に示す状態の第２レンズ保持枠の一部（図７に示す部分と略同じ部分）の縦断面図
【図９】本発明の第２の実施形態の鏡筒ユニットにおいて、コイル及び固定絞り部材が取り付けられた状態の第２レンズ群保持枠を取り出して示す平面図
【図１０】本発明の第２の実施形態の鏡筒ユニットにおいて、コイルと第２レンズ群保持枠との接着部近傍を拡大して示し、かつ一部を断面で示す要部拡大斜視図
【図１１】図１０に示す部分の縦断面図
【図１２】本発明の第３の実施形態の鏡筒ユニットにおいて、コイル及び固定絞り部材が取り付けられた状態の第２レンズ群保持枠を取り出して示す平面図
【図１３】図１２の状態の第２レンズ群保持枠の一部（コイルとレンズ枠の接着部近傍）を拡大して示し、かつ一部を断面で示す要部拡大斜視図
【図１４】図１３に示す部分の縦断面図
【発明を実施するための形態】
【００１６】
以下、図示の実施の形態によって本発明を説明する。以下の説明に用いる各図面は模式的に示すものであり、各構成要素を図面上で認識できる程度の大きさで示すために、各部材の寸法関係や縮尺等を構成要素毎に異ならせて示している場合がある。したがって、本発明は、各図面に記載された各構成要素の数量や各構成要素の形状や各構成要素の大きさの比率や各構成要素の相対的な位置関係等に関して、図示の形態のみに限定されるものではない。
【００１７】
本発明の各実施形態は、例えば、複数の光学素子によって構成される撮像光学系により結像される光学像を固体撮像素子を用いて光電変換し、これによって取得した画像信号を静止画像又は動画像を表わすデジタル画像データに変換し、生成されたデジタルデータを記憶媒体に記録し、また記憶媒体に記録されたデジタル画像データに基いて静止画像又は動画像を画像表示装置に再生表示し得るように構成される撮像装置に装着されるレンズ鏡筒ユニット（以下、鏡筒ユニットと略記する）に適用した場合の例示である。
【００１８】
なお、以下に説明する各実施形態では、撮像装置本体に対して鏡筒ユニットが着脱自在に構成される形態の、いわゆるレンズ交換式撮像装置において使用される交換式の鏡筒ユニットとして例示している。しかしながら、本発明を適用し得る鏡筒ユニットの形態としては、この種の交換式の鏡筒ユニットに限られることはない。例えば、撮像装置本体と鏡筒ユニットとが一体に固設されて構成される形態の、いわゆるレンズ一体式撮像装置に用いられる鏡筒ユニットに対しても、全く同様に適用することができる。
【００１９】
また、各実施形態において、撮像光学系の光軸を符号Ｏで表すものとする。この光軸Ｏに沿う方向において、鏡筒ユニットの前面に対向する側（即ち被写体のある側）を前方というものとする。また、鏡筒ユニットの前方に対して光軸方向に沿って反対側であって、当該鏡筒ユニットが撮像装置本体に連結される側（即ちレンズマウント部材のある側）を後方というものとする。そして、鏡筒ユニットの後方に、撮像素子を収納した撮像装置本体が配設される構成となっているものとする。
【００２０】
したがって、鏡筒ユニットの前方から被写体からの反射光（以下、被写体光という）が鏡筒ユニット内の撮像光学系へと入射する。鏡筒ユニットの前方から入射した被写体光は、撮像光学系を透過して光軸に沿う方向に進行する。その際、撮像光学系は、被写体の光学像（以下、被写体像という）を形成する。そして、その被写体像は、鏡筒ユニットの後方に配置される撮像素子の受光面上に結像する。
【００２１】
［第１の実施形態］
図１〜図８は、本発明の第１の実施形態の説明図である。このうち、図１は、本発明の第１の実施形態の鏡筒ユニットの内部構成の概略を示す断面図である。図２は、図１の符号［２］で示す領域の要部拡大断面図である。図３は、本実施形態の鏡筒ユニットに組み込まれた状態の第２レンズ保持枠の前面を主に示す平面図である。図４は、本実施形態の鏡筒ユニットにおける第２レンズ群保持枠を取り出して示す斜視図である。図５は、図４に示す状態の第２レンズ群保持枠を同図４の矢印符号［５］方向から見た平面図である。図６は、図５に示す状態の第２レンズ群保持枠から固定絞り部材を取り外した状態（ＶＣＭ機構のコイルは取り付けられている状態）を示す平面図である。図７は、図４に示す状態の第２レンズ保持枠の一部（コイル及び固定絞り部材が取り付けられている近傍部分）を拡大して示し、かつ一部を断面で示す要部拡大図である。図８は、図４に示す状態の第２レンズ保持枠の一部（図７に示す部分と略同じ部分）の縦断面図である。
【００２２】
なお、図３〜図５においては、固定絞り部材（４５）を明示するために、当該固定絞り部材（４５）の図示領域を塗り潰しパターンを用いて示している。また、図４，図５においては、第２レンズ群保持枠にＶＣＭ機構のコイルと固定絞り部材とが取り付けられた状態を示している。図６においては、接着層（４６）を明示するために、当該接着層（４６）の図示領域を塗り潰しパターンを用いて示している。
【００２３】
まず、本発明の第１の実施形態の鏡筒ユニットの概略構成を、主に図１を用いて以下に説明する。
【００２４】
本実施形態の鏡筒ユニット１０は、いわゆるレンズ交換式撮像装置において使用される交換式の鏡筒ユニット（単に交換レンズともいう）である。なお、当該鏡筒ユニット１０が装着される側の撮像装置本体については、本発明に直接関連しない部分であるので、その図示を省略している。
【００２５】
本実施形態の鏡筒ユニット１０は、鏡筒本体１１と、第１固定筒１２と、第２固定筒１３と、電子回路基板１４と、可動絞り機構１５と、２群駆動機構１６（第１のＶＣＭ機構）と、３群駆動機構１７（第２のＶＣＭ機構）と、像振れ補正機構１８と、レンズ側マウント部材１９と、撮像光学系（２１〜２６）等によって主に構成されている。
【００２６】
鏡筒本体１１は、当該鏡筒ユニット１０の外面を覆う外装部材である。この鏡筒本体１１は、複数の筒状部材１１ａ，１１ｂ，１１ｃ等を組み合わせて形成されている。なお、本実施形態における鏡筒本体１１は、全体として略円筒形状に形成されている。
【００２７】
鏡筒本体１１の内部空間には、当該鏡筒ユニット１０を構成する各種の構成ユニットが収納されている。また鏡筒本体１１には、例えば第１固定筒１２や第２固定筒１３や固定レンズ群である第１レンズ群２１（後述する）等が、内部の所定の位置に固定されている。
【００２８】
第１固定筒１２は、鏡筒本体１１の内部において、前方寄りの位置から中程の位置に設けられ、鏡筒本体１１に対して固定される筒状部材である。この第１固定筒１２には、例えば、ＶＣＭ（Voice Coil Motor；ボイスコイルモータ）を用いた駆動機構（以下、ＶＣＭ機構と略記する）の一部（ヨークの一部等）や可動絞り機構１５等が、内部の所定の位置に固定されている。
【００２９】
第２固定筒１３は、鏡筒本体１１の内部において、後方寄りの位置に設けられ、鏡筒本体１１に対して固定される筒状部材である。この第２固定筒１３には、例えば、レンズ側マウント部材１９と電子回路基板１４と固定レンズ群である第６レンズ群２６（後述する）等が、内部の所定の位置に固定されている。
【００３０】
電子回路基板１４は、略円環形状に形成されたリング状の電子回路基板である。この電子回路基板１４の表面上には、当該鏡筒ユニット１０の動作を制御するための電子回路を構成する複数の電子部品がそれぞれ所定の位置に実装されている。なお、図１においては、電子回路基板１４の表面上に実装される複数の電子部品の図示は省略している。
【００３１】
可動絞り機構１５は、撮像光学系（２１〜２６）を通過する光量を調整するための可動絞り機構を構成する構成ユニットである。可動絞り機構１５は、従来の撮像装置において一般的に適用されているものが用いられる。したがって、その詳細な図示及び構成についての説明は省略する。
【００３２】
レンズ側マウント部材１９は、当該鏡筒ユニット１０と撮像装置本体（不図示）とを着脱自在とするための連結機構の一部である。レンズ側マウント部材１９は、撮像装置本体（不図示）側のボディ側マウント部材（不図示）との間でバヨネット結合し得るように構成されている。なお、レンズ側マウント部材１９及びボディ側マウント部材（不図示）による連結機構は、従来の撮像装置において一般的に利用されている構成である。したがって、その詳細な説明は省略する。
【００３３】
像振れ補正機構１８は、像振れ補正動作時に撮像光学系の一部のレンズ群（第５レンズ群２５；後述）を光軸Ｏに直交する平面内で移動させるレンズ群駆動機構を含む構成ユニットである。この像振れ補正機構１８は、レンズシフト方式の像振れ補正機構の一部を構成する。なお、像振れ補正動作そのものについては、本発明に直接関連しない部分であるので、その詳細説明は省略する。
【００３４】
撮像光学系（２１〜２６）は、被写体光を集光して被写体像を形成するための構成ユニットである。撮像光学系は、複数の光学素子（レンズ）と、これら各光学素子を所定のレンズ群毎にそれぞれ保持する複数のレンズ保持部材等によって構成されている。
【００３５】
即ち、本実施形態の撮像光学系は、具体的には、第１レンズ群２１と、第２レンズ群２２と、第３レンズ群２３と、第４レンズ群２４と、第５レンズ群２５と、第６レンズ群２６の６つのレンズ群によって構成されている。これら６つのレンズ群（２１〜２６）は、それぞれが対応するレンズ保持枠によって保持されている。
【００３６】
具体的には、例えば、第１レンズ群２１は第１レンズ保持枠２１Ｆに保持されている。この第１レンズ保持枠２１Ｆは鏡筒本体１１の内部の固定部に固定されている。したがって、第１レンズ群２１は固定レンズ群である。
【００３７】
第６レンズ群２６は第６レンズ保持枠（符号無し）に保持されている。この第６レンズ保持枠（符号無し）は鏡筒本体１１の内部の固定部に固定されている。したがって、第６レンズ群２６は固定レンズ群である。
【００３８】
また、第２レンズ群２２と第３レンズ群２３と第４レンズ群２４と第５レンズ群２５とは、鏡筒本体１１の内部において所定の方向に移動する移動レンズ群（可動レンズ群ともいう）である。このうち、第２レンズ群２２と第３レンズ群２３と第４レンズ群２４は、光軸Ｏに沿う方向に適宜移動することで焦点調節動作に寄与するフォーカスレンズ群である。
【００３９】
ここで、例えば第２レンズ群２２は、第２レンズ保持枠２２Ｆによって保持されている。この第２レンズ保持枠２２Ｆは、２群駆動機構１６（第１のＶＣＭ機構；詳細後述）の作用によって光軸Ｏに沿う方向に進退移動し得るように構成されている。
【００４０】
この場合において、第２レンズ保持枠２２Ｆは、鏡筒本体１１の内部の固定部に対して光軸Ｏに沿って配置された主副二本のガイド軸４４ａ，４４ｂ（図１，図２では符号４４ａのみ図示されている；図３も参照）によって、光軸Ｏ方向に進退移動するようガイドされている。これと同時に、第２レンズ保持枠２２Ｆは、二本のガイド軸４４ａ，４４ｂの一方（副ガイド軸）によって他方（主ガイド軸）を回転中心とする回転が抑止されている。
【００４１】
また、第２レンズ保持枠２２Ｆの前面側には、固定絞り部材４５が取り付けられている。この固定絞り部材４５の詳細については後述する。
【００４２】
なお、可動レンズ群を保持するレンズ枠（第２レンズ保持枠２２Ｆ）の詳細構成については、従来の撮像装置において一般的に適用されているものが用いられる。したがって、その詳細構成の説明及び図示は省略する。
【００４３】
また、第３レンズ群２３は、第３レンズ保持枠２３Ｆによって保持されている。この第３レンズ保持枠２３Ｆは、３群駆動機構１７（第２のＶＣＭ機構）の作用によって光軸Ｏに沿う方向に進退移動し得るように構成されている。その構成は、上述の第２レンズ保持枠２２Ｆ及び２群駆動機構１６と略同様である。
【００４４】
そして、第５レンズ群２５は、第５レンズ保持枠（符号無し）に保持されている。この第５レンズ保持枠（符号無し）は、像振れ補正機構１８の作用によって光軸Ｏに直交する面内で適宜移動するように構成されている。したがって、第５レンズ群２５は、像振れ補正動作に寄与する像振れ補正レンズ群である。
【００４５】
２群駆動機構１６は、焦点調節動作時に第２レンズ群２２を光軸Ｏに沿う方向に駆動するレンズ群駆動機構である。つまり、２群駆動機構１６は、レンズ（第２レンズ群２２）が固定された第１のレンズ枠である第２レンズ保持枠２２Ｆを上記レンズ（第２レンズ群２２）の光軸Ｏに沿って移動させる第１のＶＣＭ機構（ボイスコイルモータを用いた駆動機構）である。
【００４６】
ここで、本実施形態における２群駆動機構１６（第１のＶＣＭ機構）の具体的な構成について説明する。
【００４７】
２群駆動機構１６は、図２等に示すように、第１のコイル４１と、第１の磁石４２と、第１のヨークユニット４３等によって構成されている。
【００４８】
ここで、第１のコイル４１と、第１の磁石４２と、第１のヨークユニット４３とは、それぞれが２群駆動機構１６（第１のＶＣＭ機構）の一部を構成する部材である。
【００４９】
図３に示すように、第１のコイル４１は、第１コイルＡ組（Coil group A）４１Ａと第１コイルＢ組（Coil group B）４１Ｂとからなる一対のコイルによって構成されている。ここで、第１コイルＡ組４１Ａと第１コイルＢ組４１Ｂとは、それぞれが同じ形態で構成されている。
【００５０】
このように、第１コイルＡ組４１Ａと第１コイルＢ組４１Ｂとの一対のコイル組によって第１のコイル４１は構成されている。このような構成に鑑み、以下の説明においては、「第１コイルＡ組４１Ａと第１コイルＢ組４１Ｂとの一対のコイル」を「一対の第１のコイル４１」ということがある。
【００５１】
そして、第１コイルＡ組４１Ａと第１コイルＢ組４１Ｂは、第２レンズ保持枠２２Ｆ（第１のレンズ枠）の光軸Ｏに対して互いに対向する各位置に配置されている。
【００５２】
第１コイルＡ組４１Ａは、二つのコイル４１ａ，４１ｂとを有して構成される。同様に、第１コイルＢ組４１Ｂは、二つのコイル４１ｃ，４１ｄとを有して構成される。そして、これら四つのコイル４１ａ，４１ｂ，４１ｃ，４１ｄのそれぞれは、第２レンズ保持枠２２Ｆの外周面上の所定の部位に対して、例えば接着剤等（例えば紫外線硬化型接着剤等）を用いて接着固定されている。
【００５３】
したがって、この場合において、各コイル４１ａ，４１ｂ，４１ｃ，４１ｄと、第２レンズ保持枠２２Ｆの外周面の接着部位との間には、図２，図６に示すような接着層４６が形成される。この場合において、当該接着層４６は、例えばコイルとレンズ枠外周との間において約０．２〜０．３ｍｍ程度の厚さを有する。また、この接着層４６は、使用される接着剤によるが、例えば白色又は透明若しくは半透明等、光透過性を有する形態であることが多い。
【００５４】
上記接着層４６には、図２，図７，図８に示すように、光軸Ｏに沿う方向の一端部近傍に、固定絞り部材４５（後述する）とコイル（四つのコイル４１ａ，４１ｂ，４１ｃ，４１ｄのうちの一つ）と第２レンズ保持枠２２Ｆ（レンズ枠）とを同時に接着するための接着だまり部４７が形成されている。
【００５５】
また、各コイル４１ａ，４１ｂ，４１ｃ，４１ｄのそれぞれは伝導性の線材を巻回させて形成される構造物である。各コイル４１ａ，４１ｂ，４１ｃ，４１ｄのそれぞれには、開口部４１ｍ（図２〜図８参照）が形成されている。この開口部４１ｍは、光軸Ｏに沿う方向に貫通している。
【００５６】
第１のヨーク４３は、図３に示すように、一対のコイル組（一対の第１のコイル４１）にそれぞれ対応させた一対のヨーク組によって構成されている。
【００５７】
即ち、第１のヨーク４３は、第１コイルＡ組４１Ａに対応させた第１ヨークＡ組４３Ａと、第１コイルＢ組４１Ｂに対応させた第１ヨークＢ組４３Ｂとからなる。これら第１ヨークＡ組４３Ａ及び第１ヨークＢ組４３Ｂは、それぞれの一部が第１コイルＡ組４１Ａ及び第１コイルＢ組４１Ｂの四つのコイル（４１ａ，４１ｂ，４１ｃ，４１ｄ）の各開口部４１ｍを貫通するように配置されている。
【００５８】
上述したように、第１ヨークＡ組４３Ａと第１ヨークＢ組４３Ｂとの一対のヨーク組によって第１のヨーク４３は構成されている。このような構成に鑑み、以下の説明においては、「第１ヨークＡ組４３Ａと第１ヨークＢ組４３Ｂとの一対のヨーク」を「一対の第１のヨーク４３」ということがある。
【００５９】
第１の磁石４２は、図３に示すように、一対のコイル組（一対の第１のコイル４１）及び一対のヨーク組（一対の第１のヨーク４３）のそれぞれ対応させた一対の磁石組によって構成されている。  即ち、第１の磁石４２は、第１コイルＡ組４１Ａ，第１ヨークＡ組４３Ａに対応させた第１磁石Ａ組４２Ａと、第１コイルＢ組４１Ｂ，第１ヨークＢ組４３Ｂに対応させた第１磁石Ｂ組４２Ｂとからなる。これら第１磁石Ａ組４３Ａ及び第１磁石Ｂ組４２Ｂは、それぞれの一部が第１コイルＡ組４１Ａ及び第１コイルＢ組４１Ｂの四つのコイル（４１ａ〜４１ｄ）の外面に対向する位置に配置されている。これと同時に、第１磁石Ａ組４３Ａ及び第１磁石Ｂ組４２Ｂは、それぞれの他の一部が第１ヨークＡ組４３Ａ及び第１ヨークＢ組４３Ｂの一部の所定の部位に固定されている。
【００６０】
２群駆動機構１６の基本的な構成は、従来のＶＣＭ機構と同様である。したがって、上述した以外のその他の構成についての詳細説明及び図示は省略する。
【００６１】
なお、本実施形態の鏡筒ユニット１０において採用されている２群駆動機構１６（第１のＶＣＭ機構）は、上述の説明からも判る通り、第１のコイル４１が可動レンズ枠である第２レンズ保持枠２２Ｆに接着固定された形態のいわゆるムービングコイル型ボイスコイルモータ（ＶＣＭ）である。
【００６２】
３群駆動機構１７は、焦点調節動作時に第３レンズ群２３を光軸Ｏに沿う方向に駆動するレンズ群駆動機構である。つまり、第３群駆動機構１７は、レンズ（第３レンズ群２３）が固定された第２のレンズ枠である第３レンズ保持枠２３Ｆを上記レンズ（第３レンズ群２３）の光軸Ｏに沿って移動させる第２のＶＣＭ機構（ボイスコイルモータを用いた駆動機構）である。
【００６３】
この第３群駆動機構１７（第２のＶＣＭ機構）は、２群駆動機構１６（第１のＶＣＭ機構）とほぼ同様の構成からなる。例えば、第２のＶＣＭ機構である第３群駆動機構１７は、第３レンズ保持枠２３Ｆ（第２のレンズ枠）が保持する第３レンズ群２３の光軸Ｏに対して互いに対向する位置に各々が接着固定された一対の第２のコイルと、一対の第２のコイルをそれぞれ貫通する第２のヨークとを有する。この点において、第３群駆動機構１７（第２のＶＣＭ機構）は、２群駆動機構１６（第１のＶＣＭ機構）とほぼ同様の構成である。したがって、その他の詳細構成の説明は省略する。
【００６４】
このように、本実施形態の鏡筒ユニット１０は、レンズ（第２レンズ群２２，第３レンズ群２３）が固定されたレンズ枠（第２レンズ保持枠２２Ｆ，第３レンズ保持枠２３Ｆ）を上記レンズ（第２レンズ群２２，第３レンズ群２３）の光軸Ｏに沿って移動させるＶＣＭ機構（２群駆動機構１６，第３群駆動機構１７）を有する鏡筒ユニット１０である。
【００６５】
一方、上述したように、本実施形態の鏡筒ユニット１０においては、第２レンズ保持枠２２Ｆの前面側の所定の部位に固定絞り部材４５が取り付けられている（特に図４，図５参照）。
【００６６】
また、固定絞り部材４５は、例えば光を透過させない素材からなるシート状部材を用いて構成されている。この固定絞り部材４５は、被写体光（被写体からの反射光）を通過させる開口部４５ｍを有して構成されている。そして、固定絞り部材４５は、図４，図５等に示すように、第２レンズ保持枠２２Ｆ（レンズ枠）の所定の部位に対して、接着剤等を用いて固定されている。
【００６７】
この場合において、固定絞り部材４５は、第２レンズ保持枠２２Ｆの前面側の所定に部位に接着固定される。このとき、固定絞り部材４５は、第２レンズ保持枠２２Ｆ（レンズ枠）と第２レンズ群２２との間の接合部分５０（図２，図７，図８参照）、換言すると第２レンズ群２２の最外周縁部近傍の領域の前面を覆う遮光部４５ｃ（図４，図５，図７，図８参照）が形成されている。
【００６８】
この構成により、固定絞り部材４５の遮光部４５ｃは、第２レンズ群２２を介して内部に入射する不要光Ｂ２（図２，図７，図８参照）を遮蔽する機能を有する。この構成は、従来一般のレンズ鏡筒において適用される固定絞り部材と全く同様である。
【００６９】
本実施形態における鏡筒ユニット１０に用いられる固定絞り部材４５は、上述の遮光機能に加えて、さらに次のような構成及び機能を有する。
【００７０】
即ち、固定絞り部材４５は、各コイル（４１ａ〜４１ｄ）と第２レンズ保持枠２２Ｆ（レンズ枠）との間の接着層４６の前面領域を覆う遮光部４５ａ，４５ｂ（図４，図５，図７，図８参照）が形成されている。
【００７１】
この構成により、固定絞り部材４５の遮光部４５ａ，４５ｂは、接着層４６を介して内部に入射する不要光Ｂ３（図２，図７，図８参照）を遮蔽する機能を有する。
【００７２】
鏡筒ユニット１０は、以上のように構成されている。なお、鏡筒ユニット１０は、上述したもの以外にも種々の構成部材が存在するが、それらの構成部材については、本発明に直接関連しない部分であるので、その図示及び説明は省略する。
【００７３】
このように構成される本実施形態の鏡筒ユニット１０には、被写体光が前方から入射する。このとき、固定絞り部材４５は、遮光部４５ａ，４５ｂによって不要光Ｂ３を遮蔽する。これと同時に、固定絞り部材４５は、遮光部４５ｃによって不要光Ｂ２を遮蔽する。さらに、固定絞り部材４５は、開口部４５ｍによって、被写体光のうち、被写体像を適正かつ明瞭に形成するために必要となる主光線Ｂ１（図２，図７，図８参照）のみを通過させる。
【００７４】
以上説明したように上記第１の実施形態によれば、レンズ（第２レンズ群２２，第３レンズ群２３）が固定されたレンズ枠（第２レンズ保持枠２２Ｆ，第３レンズ保持枠２３Ｆ）を上記レンズ（第２レンズ群２２，第３レンズ群２３）の光軸Ｏに沿って移動させるＶＣＭ機構（２群駆動機構１６，第３群駆動機構１７）を有する鏡筒ユニット１０であって、ＶＣＭ機構（２群駆動機構１６）の一部を構成し、レンズ枠（第２レンズ保持枠２２Ｆ）に接着固定されたコイル（４１ａ〜４１ｄ）と、ＶＣＭ機構（２群駆動機構１６）の一部を構成し、コイル（４１ａ〜４１ｄ）の巻回された開口部４１ｍを貫通するヨーク４３と、レンズ枠（第２レンズ保持枠２２Ｆ）に固定され、被写体からの反射光（被写体光）を通過させる開口部４５ｍを有する固定絞り部材４５とを具備して構成される。
【００７５】
ここで、固定絞り部材４５は、コイル（４１ａ〜４１ｄ）とレンズ枠（第２レンズ保持枠２２Ｆ）との間に介在する接着層４６の前面領域を覆うことにより、当該接着層４６を介して入射する不要光を遮蔽する遮光部４５ａ，４５ｂを有する。
【００７６】
このような構成により、固定絞り部材４５は、レンズ（第２レンズ群２２）に入射する不要光Ｂ２と、接着層４６を介して入射する不要光Ｂ３とを同時に遮蔽することができる。したがって、画質劣化の要因となるゴーストやフレアの発生を抑止することができる。そして、これにより、より高品質な画像を結像させることができる。
【００７７】
また、一つの構成部材（固定絞り部材４５）によって、主光線Ｂ１を通過させる一方、不要光Ｂ２，Ｂ３を同時に遮蔽する構成としたので、鏡筒ユニット１０内における省スペース化及び構成部材点数の削減に寄与することができると同時に、製造コストの低減化に寄与することができる。
【００７８】
さらに、接着層４６には、光軸Ｏに沿う方向の一端部近傍に、固定絞り部材４５とコイル（４１ａ〜４１ｄ）とレンズ枠（第２レンズ保持枠２２Ｆ）とを同時に接着するための接着だまり部４７を形成している。この構成により、接着剤等の充填量を増加させることができるので、固定絞り部材４５とコイル（４１ａ〜４１ｄ）及びレンズ枠（第２レンズ保持枠２２Ｆ）の各前面との接着部位や、コイル（４１ａ〜４１ｄ）とレンズ枠（第２レンズ保持枠２２Ｆ）との間の接着部位における各接着力量の向上に寄与することができる。
【００７９】
なお、上記第１の実施形態では、第２レンズ保持枠２２Ｆ（第１のレンズ枠）の前面側にのみ固定絞り部材４５を設けた構成を例示しているが、これに加えて、第３レンズ保持枠２３Ｆ（第２のレンズ枠）の前面側にも、同様の形態で、固定絞り部材（４５）を設ける構成とすることもできる。この場合には、第３レンズ保持枠２３Ｆの前面側に設ける固定絞り部材４５の形状は、当該第３レンズ保持枠２３Ｆの形状に対応させて形成する。
【００８０】
このような構成により、第３レンズ群２３へ入射する不要光の遮蔽に加えて、第３レンズ保持枠２３Ｆとコイル（４１）との接着層（４６）を介して入射する不要光を同時に遮蔽することができる。したがって、不要光の内部への入射をさらに抑止することができることから、さらなる画質向上に寄与することができる。
【００８１】
［第２の実施形態］
図９〜図１１は、本発明の第２の実施形態を示す図である。このうち、図９は、本実施形態の鏡筒ユニットにおいて、コイル及び固定絞り部材が取り付けられた状態の第２レンズ群保持枠を取り出して示す平面図である（第１の実施形態における図５に相当する）。図１０は、本実施形態の鏡筒ユニットにおいて、コイルと第２レンズ群保持枠との接着部近傍を拡大して示し、かつ一部を断面で示す要部拡大斜視図である（第１の実施形態における図７にほぼ相当する）。図１１は、図１０に示す部分の縦断面図である。
【００８２】
本実施形態の基本的な構成は、上述の第１の実施形態と略同様であって、固定絞り部材４５Ａの形状が若干異なるのみである。本実施形態の鏡筒ユニットにおいて、固定絞り部材４５Ａ以外の構成は上述の第１の実施形態とほぼ同様である。したがって、以下の説明においては、上述の第１の実施形態とは異なる構成のみを詳述し、上述の第１の実施形態と同じ構成については、同じ符号を付して、その詳細説明を省略する。
【００８３】
本実施形態の鏡筒ユニットにおける固定絞り部材４５Ａは、図９〜図１１に示すように、被写体光のうち主光線Ｂ１を通過させる開口部４５ｍと、第２レンズ群２２に入射する不要光Ｂ２を遮蔽する遮光部４５ｃと、接着層４６を介して入射する不要光Ｂ３を遮蔽する遮光部４５Ａａ，４５ｂとを有して構成されている。
【００８４】
本実施形態の固定絞り部材４５Ａにおいて、開口部４５ｍ及び遮光部４５ｂ，４５ｃの形状及び作用は、上述の第１の実施形態と全く同様である。
【００８５】
遮光部４５Ａａは、接着層４６を介して入射する不要光Ｂ３を遮蔽するのと同時に、コイル（４１ａ〜４１ｄ）とヨーク４３との間に生ずる隙間４１ｍａから入射する不要光Ｂ４（図１０，図１１参照）を遮蔽する。
【００８６】
上述したように、コイル（４１ａ〜４１ｄ）の開口部４１ｍにはヨーク４３が貫通して配置されている。この状態で、可動レンズ枠である第２レンズ保持枠２２Ｆに固定されたコイル（４１ａ〜４１ｄ）は、第１固定筒１２に固設されたヨーク４３に沿って光軸Ｏに沿う方向に進退移動する。このとき、ヨーク４３（固定側）とコイル４１（可動側）とが機械的に干渉することを避けるために、両者間には若干の隙間を持たせて構成されている。したがって、コイルの開口部４１ｍの内周縁部とヨーク４３との間の隙間を介して内部へと漏光する可能性がある。
【００８７】
そこで、本実施形態においては、コイルの開口部４１ｍの内周縁部とヨーク４３との間の隙間の前面を遮光部４５Ａａによって覆うことで、当該隙間から入射する不要光Ｂ４を遮蔽するように構成されている。
【００８８】
そのために、本実施形態の鏡筒ユニットに適用される固定絞り部材４５Ａの遮光部４５Ａａにおいては、上述の第１の実施形態で示す固定絞り部材４５に対して、その遮光部４５ａを径方向において外周側に向けて所定の領域だけ延長させた形態としている。コノ場合において、所定の領域とは、コイルの開口部４１ｍの内周縁部とヨーク４３との間の隙間の前面を覆うことのできる領域である。
【００８９】
このように、本実施形態の固定絞り部材４５Ａにおいては、遮光部４５Ａａによって遮蔽される領域が、上述の第１の実施形態の固定絞り部材４５における遮光部４５ａに比べて、より大きい領域となるように形成されている。
【００９０】
この場合において、固定絞り部材４５Ａは、コイル（４１ａ〜４１ｄ）の巻回部分の前面を覆う領域は、接着層４６の前面及びコイルの前面のうち、同コイルをレンズの光軸Ｏ方向に投影した際に、当該コイル全体の投影面積の少なくとも半分以上をカバーする領域となるように形成している。その他の構成は、上述の第１の実施形態と同様である。
【００９１】
このような構成とすることにより、固定絞り部材４５Ａは、一つの構成部材（固定絞り部材４５Ａ）によって、主光線Ｂ１を通過させる一方、不要光Ｂ２，Ｂ３に加えて不要光Ｂ４をも同時に遮蔽する。
【００９２】
以上説明したように上記第２の実施形態によれば、上述の第１の実施形態と同様の効果を得ることができる。これに加えて、さらに、不要光Ｂ４をも同時に遮蔽することができるので、より一層の画質向上に寄与することができる。
【００９３】
さらに、本実施形態によれば、コイルの前面の大部分（投影面積の少なくとも半分以上）の領域が固定絞り部材４５Ａによって覆い隠されている。これにより、鏡筒ユニットの前面から内部を覗き見たとしても、内部構造が露呈されることなく、見栄えを良くすることができる。
【００９４】
［第３の実施形態］
図１２〜図１４は、本発明の第３の実施形態を示す図である。このうち、図１２は、本実施形態の鏡筒ユニットにおいて、コイル及び固定絞り部材が取り付けられた状態の第２レンズ群保持枠を取り出して示す平面図である。図１２は、第１の実施形態の図５及び第２の実施形態の図９に相当する。図１３は、図１２の状態の第２レンズ群保持枠の一部（コイルとレンズ枠の接着部近傍）を拡大して示し、かつ一部を断面で示す要部拡大斜視図である。図１３は、第１の実施形態の図７，第２の実施形態の図１０にほぼ相当する。図１４は、図１３に示す部分の縦断面図である。図１４は、第２の実施形態の図１１にほぼ相当する。
【００９５】
本実施形態の構成は、基本的には上述の第１，第２の実施形態と略同様であって、ＶＣＭ機構（２群駆動機構１６Ｃ）を構成するコイル４１Ｃは個々のコイル４１ｘの数及び形状が異なる。また、これに合わせて、当該コイル４１Ｃが固定される第２レンズ保持枠２２ＦＣと、この第２レンズ保持枠２２ＦＣの前面に取り付けられる固定絞り部材４５Ｃの各形状が異なる。
【００９６】
本実施形態の鏡筒ユニットにおいて、それ以外の構成は上述の第１，第２の実施形態とほぼ同様である。したがって、以下の説明においては、上述の第１，第２の実施形態とは異なる構成のみを詳述し、上述の第１，第２の実施形態と同じ構成については、同じ符号を付して、その詳細説明を省略する。
【００９７】
本実施形態の鏡筒ユニットにおけるＶＣＭ機構（２群駆動機構１６Ｃ）の一部を構成し、第２レンズ保持枠２２ＦＣに接着固定されるコイル４１Ｃは、図１２に示すように、第２レンズ保持枠２２ＦＣが保持する第２レンズ群２２Ｃの光軸Ｏに対して互いに対向する各位置に接着固定される一対のコイル４１ｘからなる。
【００９８】
コイル４１Ｃ（一対のコイル４１ｘ）は、第２レンズ保持枠２２ＦＣとの間で接着固定される。したがって、この構成により両者間（コイルとレンズ枠との間）には接着層４６が形成されている。そして、この接着層４６の一端部には接着だまり部４７が形成されている。
【００９９】
第２レンズ保持枠２２ＦＣの前面側には、固定絞り部材４５Ｃが取り付けられている。この固定絞り部材４５Ｃは、図１２〜図１４に示すように、被写体光のうち主光線Ｂ１を通過させる開口部４５ｍと、第２レンズ群２２Ｃに入射する不要光Ｂ２を遮蔽する遮光部４５ｃと、接着層４６を介して入射する不要光Ｂ３を遮蔽する遮光部４５ａとを有して構成されている。
【０１００】
これらの遮光部４５ａ，４５ｃの作用及び効果は、上述の第１の実施形態と略同様である。その他の構成も、上述の第１の実施形態と略同様である。
【０１０１】
なお、第２レンズ群２２Ｃに入射する不要光Ｂ２の一部を遮蔽する遮光部４５ｂを、さらに加えて設けてもよい。
【０１０２】
このように、上記第３の実施形態においては、ＶＣＭ機構の構成やレンズ枠，レンズの形状が異なる構成であっても、各構成部材の形状に合わせて、固定絞り部材４５Ｃの形状を適宜変更して形成している。これにより、上述の第１の実施形態と同様の効果を得ることができる。
【０１０３】
また、本実施形態においても、固定絞り部材４５Ｃの遮光部４５ａを、上述の第２の実施形態と同様に、径方向外周側に向けて所定の領域だけ延長させた形態とすれば、不要光Ｂ４を遮蔽することができ、よって、上述の第２の実施形態と同様の効果を得ることができる。
【０１０４】
本発明は上述した実施形態に限定されるものではなく、発明の主旨を逸脱しない範囲内において種々の変形や応用を実施することができることは勿論である。さらに、上記実施形態には、種々の段階の発明が含まれており、開示される複数の構成要件における適宜な組み合わせによって、種々の発明が抽出され得る。例えば、上記一実施形態に示される全構成要件から幾つかの構成要件が削除されても、発明が解決しようとする課題が解決でき、発明の効果が得られる場合には、この構成要件が削除された構成が発明として抽出され得る。さらに、異なる実施形態にわたる構成要素を適宜組み合わせてもよい。この発明は、添付のクレームによって限定される以外にはそれの特定の実施態様によって制約されない。
【符号の説明】
【０１０５】
１０……鏡筒ユニット
１１……鏡筒本体
１１ａ，１１ｂ，１１ｃ……筒状部材
１２……第１固定筒
１３……第２固定筒
１４……電子回路基板
１５……可動絞り機構
１６，１６Ｃ……２群駆動機構
１７……３群駆動機構
１８……像振れ補正機構
１９……レンズ側マウント部材
２１……第１レンズ群
２１Ｆ……第１レンズ保持枠
２２……第２レンズ群
２２，２２Ｃ……第２レンズ群
２２Ｆ，２２ＦＣ……第２レンズ保持枠
２３……第３レンズ群
２３Ｆ……第３レンズ保持枠
２４……第４レンズ群
２５……第５レンズ群
２６……第６レンズ群
４１，４１Ｃ……第１のコイル
４１……一対のコイル
４１ａ，４１ｂ，４１ｃ，４１ｄ，４１ｘ……コイル
４１ｍ……開口部
４１ｍａ……隙間
４２……第１の磁石
４３……第１のヨークユニット
４５，４５Ａ，４５Ｃ……固定絞り部材
４５ａ，４５ｂ，４５ｃ，４５Ａａ……遮光部
４５ｍ……開口部
４６……接着層
４７……接着だまり部
５０……接合部分
４１Ａ……第１コイルＡ組
４１Ｂ……第１コイルＢ組
４２Ａ……第１磁石
４３Ａ……第１ヨークＡ組
Ｂ１……被写体主光線
Ｂ２……不要光
Ｂ３……不要光
Ｂ４……不要光
Ｏ……光軸
【図１】
2019152756.tif 000003
【図２】
2019152756.tif 000004
【図３】
2019152756.tif 000005
【図４】
2019152756.tif 000006
【図５】
2019152756.tif 000007
【図６】
2019152756.tif 000008
【図７】
2019152756.tif 000009
【図８】
2019152756.tif 000010
【図９】
2019152756.tif 000011
【図１０】
2019152756.tif 000012
【図１１】
2019152756.tif 000013
【図１２】
2019152756.tif 000014
【図１３】
2019152756.tif 000015
【図１４】
2019152756.tif 000016